(57)【特許請求の範囲】
【請求項１】
ディスプレイを備えたデバイスのユーザ別ＵＩ提供方法において、
アプローチ認識領域内にユーザがアプローチしたか否かを検出するステップと、
ユーザが前記アプローチ認識領域にアプローチしたことが検出された場合、ユーザがアプローチしたことを示すアイコンを画面に表示するステップと、
前記アイコンを選択する操作が入力されると、前記ユーザに割り当てられた画面領域であるパーソナル化領域を表示するステップと
を含み、
前記アイコンは、前記ユーザのアプローチしている方向に応じて異なる位置に表示され、前記ユーザが位置移動時に、変更されたユーザの位置に移動し、
前記ユーザの位置が有無線通信モジュールを通じて互いに通信できるように接続された外部機器に移動したことが検出されると、前記アイコン又は前記パーソナル化領域に対する情報を前記外部機器に伝送し、前記外部機器は前記ユーザのアップローチを認識し、前記パーソナル化領域を表示するステップを更に含むユーザ別ＵＩ提供方法。
【請求項２】
前記検出するステップは、
アプローチ認識領域内にユーザがアプローチしたか否かとともに、ユーザのアプローチ方向を検出することを特徴とする請求項１に記載のユーザ別ＵＩ提供方法。
【請求項３】
前記アイコンの表示ステップは、
前記ユーザのアプローチ方向に対応する方向の画面領域に前記アイコンを表示することを特徴とする請求項２に記載のユーザ別ＵＩ提供方法。
【請求項４】
前記パーソナル化領域の表示ステップは、
前記ユーザのアプローチ方向に対応する方向の画面領域に前記パーソナル化領域を表示することを特徴とする請求項２に記載のユーザ別ＵＩ提供方法。
【請求項５】
前記検出するステップは、
アプローチ認識領域内にユーザがアプローチしたか否かとともに、ユーザの情報を検出することを特徴とする請求項１に記載のユーザ別ＵＩ提供方法。
【請求項６】
前記検出するステップは、
ユーザのＩＤカード、ユーザの生体認証を通じてユーザの情報を検出することを特徴とする請求項５に記載のユーザ別ＵＩ提供方法。
【請求項７】
前記ユーザの情報は、
ユーザＩＤ、パスワード、ユーザ名、ユーザ写真のうち少なくともいずれか一つを含み、
前記アイコンの表示ステップは、
前記検出されたユーザの情報のうち少なくともいずれか一つを前記アイコンとともに表示することを特徴とする請求項５に記載のユーザ別ＵＩ提供方法。
【請求項８】
ユーザの位置移動が検出されると、前記ユーザの移動した位置に応じて前記アイコン又は前記パーソナル化領域を画面上で移動させるステップとを更に含むことを特徴とする請求項１に記載のユーザ別ＵＩ提供方法。
【請求項９】
前記移動させるステップは、
前記ユーザの移動した位置に応じて前記アイコン又は前記パーソナル化領域を画面上で移動させる間、前記アイコン又は前記パーソナル化領域の下段が画面の外側方向を向くように表示された状態で、前記アイコン又は前記パーソナル化領域を移動させることを特徴とする請求項８に記載のユーザ別ＵＩ提供方法。
【請求項１０】
前記アイコン又は前記パーソナル化領域が表示された状態で、前記ユーザのアプローチの検出が終了した場合、前記アイコン又は前記パーソナル化領域が画面から消えるようにするステップを更に含むことを特徴とする請求項１に記載のユーザ別ＵＩ提供方法。
【請求項１１】
アプローチ認識領域内にユーザがアプローチしたか否かを検出するアプローチ認識部と、
ユーザの操作を入力される操作部と、
入力された映像を表示するディスプレイ部と、
ユーザが前記アプローチ認識領域にアプローチしたことが検出された場合、ユーザがアプローチしたことを示すアイコンが画面に表示されるように前記ディスプレイ部を制御し、前記アイコンを選択する操作が前記操作部を介して入力されると、前記ユーザに割り当てられた画面領域であるパーソナル化領域が表示されるように前記ディスプレイ部を制御する制御部と
を含み、
前記アイコンは、前記ユーザのアプローチしている方向に応じて異なる位置に表示され、前記ユーザが位置移動時に、変更されたユーザの位置に移動し、
前記ユーザの位置が有無線通信モジュールを通じて互いに通信できるように接続された外部機器に移動したことが検出されると、前記アイコン又は前記パーソナル化領域に対する情報を前記外部機器に伝送し、前記外部機器は前記ユーザのアップローチを認識し、前記パーソナル化領域を表示するステップを更に含むデバイス。
【請求項１２】
ディスプレイを備えたデバイスのユーザ別ＵＩ提供方法において、
アプローチ認識領域内にユーザがアプローチしたか否かを検出するステップと、
ユーザがアプローチ認識領域にアプローチしたことが検出された場合、特定アイコンを画面に表示するステップと、
アプローチ認識領域内でユーザの移動を検出するステップと、
ユーザの位置移動が検出されると、前記ユーザの移動した位置に応じて前記アイコンを画面上で移動させるステップとを含み、
前記アイコンは、前記ユーザのアプローチしている方向に応じて異なる位置に表示され、
前記ユーザの位置が有無線通信モジュールを通じて互いに通信できるように接続された外部機器に移動したことが検出されると、前記アイコン又は前記ユーザに割り当てられた画面領域であるパーソナル化領域に対する情報を前記外部機器に伝送し、前記外部機器は前記ユーザのアップローチを認識し、前記パーソナル化領域を表示するステップを更に含むユーザ別ＵＩ提供方法。
【請求項１３】
前記移動させるステップは、
前記ユーザの移動した位置に応じて前記アイコンを画面上で移動させる間、前記アイコンの下段が画面の外側方向を向くように表示された状態で前記アイコンを移動させることを特徴とする請求項１２に記載のユーザ別ＵＩ提供方法。
【請求項１４】
前記デバイスは複数個の面を含み、
前記検出するステップは、
前記複数個の面のうちいずれか一面のアプローチ認識領域内に複数のユーザがアプローチしたか否かを検出し、
前記アイコンの表示ステップは、
記複数のユーザのそれぞれに対する複数のアイコンを画面に表示することを特徴とする請求項１に記載のユーザ別ＵＩ提供方法。
【発明の詳細な説明】
【技術分野】
【０００１】
本発明は、ユーザ別ＵＩ提供方法及びそれを適用したデバイスに関し、より詳細には、ユーザのアプローチを認識してユーザに適したＵＩを提供するユーザ別ＵＩ提供方法及びそれを適用したデバイスに関する。
【背景技術】
【０００２】
通信技術が発達するにつれ、多様な機器が通信ネットワークを通じて相互に接続されてそれぞれのサービスを提供する環境が構築されている。例えば、家庭にはホームネットワークシステムが構築されており、企業には社内ネットワーク網を用いた会議室などが構築されている。なお、政府ではネットワーク網を通じてユビキタス環境を構築した一つの都市を建設するＵ−ｃｉｔｙ産業を盛んに進めている。
【０００３】
このようなネットワーク環境に含まれた機器は、一人のユーザでない数人のユーザによって使われることが多い。従って、ユーザは特定機器を使用するためにユーザ認証過程を踏まなければならない。
【０００４】
しかし、ユーザは特定機器を使用するために、毎回ＩＤとパスワードを入力してログインしなければならないため、機器の使用を開始するのに手間がかかった。なお、ユーザのコンピュータに保存されたファイルを別の機器で使うためには、ユーザが自分のパソコンに接続して必要なファイルをコピーする過程が必要であるため、不便であった。
【０００５】
ユーザは、ネットワーク環境に接続された機器を簡単な過程を経て使用することを求めている。従って、ユーザがネットワーク環境に接続された機器を簡単に使用できる方策への模索が求められている。
【先行技術文献】
【特許文献】
【０００６】
【特許文献１】韓国特開第２００７−００６５０５号公報
【特許文献２】韓国特開第２００６−０６８４１５号公報
【特許文献３】日本特開第２００５−１５７１３４号公報
【特許文献４】韓国特開第２００８−０９８４５６号公報
【発明の概要】
【発明が解決しようとする課題】
【０００７】
そこで、本発明は、上記問題に鑑みてなされたものであり、本発明の目的とするところは、ユーザが前記アプローチ認識領域にアプローチしたことが検出された場合、ユーザがアプローチしたことを示すアイコンを画面に表示し、アイコンを選択する操作が入力されると、ユーザに割り当てられた画面領域であるパーソナル化領域を表示するユーザ別ＵＩ提供方法及びそれを適用したデバイスを提供することにある。
【０００８】
なお、本発明の別の目的は、ユーザがアプローチ認識領域にアプローチしたことが検出された場合、特定アイコンを画面に表示し、ユーザの位置移動が検出されると、ユーザの移動した位置に応じて特定アイコンを画面上で移動させるユーザ別ＵＩ提供方法を提供することにある。
【課題を解決するための手段】
【０００９】
前記目的を達成するための本発明の一実施形態に係るユーザ別ＵＩ提供方法は、アプローチ認識領域内にユーザがアプローチしたか否かを検出するステップと、ユーザが前記アプローチ認識領域にアプローチしたことが検出された場合、ユーザがアプローチしたことを示すアイコンを画面に表示するステップと、前記アイコンを選択する操作が入力されると、前記ユーザに割り当てられた画面領域であるパーソナル化領域を表示するステップとを含む。
【００１０】
そして、前記検出ステップは、アプローチ認識領域内にユーザがアプローチしたか否かとともに、ユーザのアプローチ方向を検出してよい。
【００１１】
なお、前記アイコンの表示ステップは、前記ユーザのアプローチ方向に対応する方向の画面領域に前記アイコンを表示してよい。
【００１２】
そして、前記パーソナル化領域の表示ステップは、前記ユーザのアプローチ方向に対応する方向の画面領域に前記パーソナル化領域を表示してよい。
【００１３】
なお、前記検出ステップは、アプローチ認識領域内にユーザがアプローチしたか否かとともに、ユーザの情報を検出してよい。
【００１４】
そして、前記検出ステップは、ユーザのＩＤカード、ユーザの生体認証を通じてユーザの情報を検出してよい。
【００１５】
なお、前記ユーザの情報は、ユーザＩＤ、パスワード、ユーザ名、ユーザ写真のうち少なくともいずれか一つを含み、前記アイコンの表示ステップは、前記検出されたユーザの情報のうち少なくともいずれか一つを前記アイコンとともに表示してよい。
【００１６】
そして、ユーザの位置移動が検出されると、前記ユーザの移動した位置に応じて前記アイコン又は前記パーソナル化領域を画面上で移動させるステップとを更に含んでよい。
【００１７】
なお、前記移動させるステップは、前記ユーザの移動した位置に応じて前記アイコン又は前記パーソナル化領域を画面上で移動させる間、前記アイコン又は前記パーソナル化領域の下段が画面の外側方向を向くように表示された状態で、前記アイコン又は前記パーソナル化領域を移動させてよい。
【００１８】
そして、ユーザの位置が有無線通信モジュールを通じて互いに通信できるように接続された外部機器に移動したことが検出されると、前記アイコン又は前記パーソナル化領域に対する情報を前記外部機器に伝送するステップを更に含んでよい。
【００１９】
なお、前記アイコン又は前記パーソナル化領域が表示された状態で、前記ユーザのアプローチの検出が終了した場合、前記アイコン又は前記パーソナル化領域が画面から消えるようにするステップを更に含んでよい。
【００２０】
一方、本発明の一実施形態に係るデバイスは、アプローチ認識領域内にユーザがアプローチしたか否かを検出するアプローチ認識部と、ユーザの操作を入力される操作部と、入力された映像を表示するディスプレイ部と、ユーザが前記アプローチ認識領域にアプローチしたことが検出された場合、ユーザがアプローチしたことを示すアイコンが画面に表示されるように前記ディスプレイ部を制御し、前記アイコンを選択する操作が前記操作部を介して入力されると、前記ユーザに割り当てられた画面領域であるパーソナル化領域が表示されるように前記ディスプレイ部を制御する制御部とを含む。
【００２１】
一方、本発明の一実施形態に係るユーザ別ＵＩ提供方法は、アプローチ認識領域内にユーザがアプローチしたか否かを検出するステップと、ユーザがアプローチ認識領域にアプローチしたことが検出された場合、特定アイコンを画面に表示するステップと、アプローチ認識領域内でユーザの移動を検出するステップと、ユーザの位置移動が検出されると、前記ユーザの移動した位置に応じて前記アイコンを画面上で移動させるステップとを含む。
【００２２】
そして、前記移動させるステップは、前記ユーザの移動した位置に応じて前記アイコンを画面上で移動させる間、前記アイコンの下段が画面の外側方向を向くように表示された状態で前記アイコンを移動させてよい。
【００２３】
なお、前記デバイスは複数個の面を含み、前記検出ステップは、前記複数個の面のうちいずれか一面のアプローチ認識領域内に複数のユーザがアプローチしたか否かを検出し、前記アイコンの表示ステップは、前記複数のユーザのそれぞれに対する複数のアイコンを画面に表示してよい。
【００２４】
そして、前記複数のアイコンのうちいずれか一つのアイコンを選択する操作が入力されると、前記選択されたアイコンに対応するパーソナル化領域を表示してよい。
【発明の効果】
【００２５】
本発明の多様な実施形態によると、ユーザが前記アプローチ認識領域にアプローチしたことが検出された場合、ユーザがアプローチしたことを示すアイコンを画面に表示し、アイコンを選択する操作が入力されると、ユーザに割り当てられた画面領域であるパーソナル化領域を表示するユーザ別ＵＩ提供方法及びそれを適用したデバイスを提供するができ、ユーザがネットワーク環境に接続されたデバイスを簡単に使用することができるようになる。特に、ユーザは別途のログイン過程を踏むことなくデバイスにアプローチするだけでデバイスを使用できるようになるため、非常に便利にデバイスを使用できるようになる。
【図面の簡単な説明】
【００２６】
【図１】本発明の一実施形態に係るテーブルトップ（Ｔａｂｌｅ  Ｔｏｐ）の概略図である。
【図２】本発明の一実施形態に係るテーブルトップがユーザのアプローチを認識し、ユーザの情報も認識した場合、ユーザアプローチ認識アイコンの表示された画面を示す図である。
【図３】本発明の一実施形態に係るテーブルトップがユーザのアプローチを認識し、ユーザの情報は認識できなかった場合、ユーザアプローチ認識アイコンの表示された画面を示す図である。
【図４】本発明の一実施形態に係るユーザがテーブルトップの左側面にアプローチした場合、ユーザアプローチ認識アイコンの表示された画面を示す図である。
【図５】本発明の別の実施形態に係るユーザアプローチの報知手段が発光素子である場合を示す図である。
【図６】本発明の一実施形態に係るユーザが位置移動時にテーブルトップに表示されたユーザアプローチ認識アイコンがともに移動されることを示す図である。
【図７】本発明の一実施形態に係るユーザがユーザアプローチ認識アイコンをタッチすることを示す図である。
【図８】本発明の一実施形態に係るパーソナル化領域の表示された画面を示す図である。
【図９】本発明の一実施形態に係るユーザが位置移動時にテーブルトップに表示されたパーソナル化領域がともに移動されることを示す図である。
【図１０】ユーザがテーブルトップの第４領域から離れた場合、テーブルトップのパーソナル化領域が消えることを示す図である。
【図１１】本発明の一実施形態に係る二人のユーザがテーブルトップを使用する場合を示す図である。
【図１２】本発明の一実施形態に係るスマートボードとテーブルトップが相互に連動する場合を示す図である。
【図１３】本発明の一実施形態に係るユーザ別ＵＩ提供方法について説明するために提供されるフローチャートである。
【図１４】本発明が適用可能なデバイスのブロック図である。
【図１５】本発明の一実施形態に係るテーブルトップの一面に二人のユーザがアプローチした場合、ユーザ別のアプローチ認識アイコンの表示された画面を示す図である。
【図１６】本発明の一実施形態に係るテーブルトップの一面に二人のユーザがアプローチした場合、ユーザ別のパーソナル化領域の表示された画面を示す図である。
【発明を実施するための形態】
【００２７】
以下に添付図面を参照しながら、本発明の好適な実施の形態について詳細に説明する。
【００２８】
図１は、本発明の一実施形態に係るテーブルトップ（Ｔａｂｌｅ  Ｔｏｐ）１００の概略図である。図１に示すように、テーブルトップ１００は、テーブルの形態で実現されたコンピュータ装置であり、テーブルの上板にディスプレイ１１０が装着されていることが確認できる。
【００２９】
なお、テーブルトップ１００は、アプローチ認識部を介してユーザがアプローチ認識領域内にアプローチしたか否かを認識する。テーブルトップ１００は４辺で構成された四角いテーブル形態である。従って、アプローチ認識部は各辺に配置された第１アプローチ認識センサ１２６と、第２アプローチ認識センサ１２７と、第３アプローチ認識センサ１２８及び第４アプローチ認識センサ１２９を含む。
【００３０】
そして、テーブルトップ１００は各辺に対して、第１領域１２１と、第２領域１２２と、第３領域１２３及び第４領域１２４内にユーザがアプローチしたか否かを認識するようになる。例えば、第１領域１２１ないし第４領域１２４は各辺の中心から１〜１．５ｍ程度の範囲であってよい。即ち、アプローチ認識領域はテーブルトップ１００がユーザのアプローチを認識する領域として、図１の場合、第１領域１２１ないし第４領域１２４がアプローチ認識領域に該当する。
【００３１】
なお、本明細書では、第１領域１２１の方向を上方（上方向）、第２領域１２２の方向を右方（右方向）、第３領域１２３の方向を下方（下方向）、第４領域１２４の方向を左方（左方向）と定義して説明する。
【００３２】
第１領域１２１は、第１アプローチ認識センサ１２６によりユーザのアプローチが検出される領域であり、第２領域１２２は、第２アプローチ認識センサ１２７によりユーザのアプローチが検出される領域であり、第３領域１２３は、第３アプローチ認識センサ１２８によりユーザのアプローチが検出される領域であり、第４領域１２４は、第４アプローチ認識センサ１２９によりユーザのアプローチが検出される領域である。
【００３３】
テーブルトップ１００は、多様な形態のアプローチ認識部を用いてユーザのアプローチを認識することができる。具体的に、アプローチ認識部はＩＤカードリーダー、無線通信モジュール、又は人体検知センサなどが用いられてよい。例えば、ユーザがＩＤカードをＩＤカードリーダーに近づけた場合、テーブルトップ１００はＩＤカードリーダーを介してユーザのアプローチを認識するようになる。なお、ユーザがＩＤカードを所持している場合、テーブルトップ１００はＲＦ、Ｚｉｇｂｅｅ（登録商標）、Ｂｌｕｅｔｏｏｔｈ（登録商標）などの無線通信を通じてユーザのＩＤカードを検出することもできる。なお、テーブルトップ１００はユーザの音声や角膜、顔又は指紋などで認識する生体認証を用いた人体検知センサを用いてユーザのアプローチを認識することもできる。なお、テーブルトップ１００は、ユーザのＩＤカード又はユーザの音声や角膜、顔又は指紋などを認識して、ユーザが誰であるかも認識することができる。
【００３４】
なお、テーブルトップ１００はユーザがテーブルトップ１００のいずれの方向にアプローチしたかを認識することもできる。例えば、図１のテーブルトップ１００は四角いテーブルであるため、４面構成されている。従って、テーブルトップ１００は４面のうちいずれか一面にユーザがアプローチしたかを認識することもできる。
【００３５】
そうするために、テーブルトップ１００は４面にそれぞれ一つずつアプローチ認識センサが配置されてよい。例えば、第１のテーブルトップ１００には、上下左右の各面に４つのアプローチ検知センサが取り付けられてよい。そして、テーブルトップ１００は、各センサから検出される信号の強さを比較して、最も強い信号が検出されるセンサの位置にユーザがアプローチしたと認識する。
【００３６】
このように、テーブルトップ１００はアプローチ認識部を介してユーザがアプローチしたか否か及びユーザがどの方向からアプローチしたかを認識することができる。
【００３７】
以下では、ユーザがアプローチした場合のテーブルトップ１００の動作について図２ないし図６を参考に説明する。
【００３８】
図２は、本発明の一実施形態に係るテーブルトップ１００がユーザのアプローチを認識してユーザの情報も認識した場合、ユーザアプローチ認識アイコン２１０の表示された画面を示す図である。
【００３９】
図２に示すように、ユーザがテーブルトップ１００の上面にアプローチした場合、テーブルトップ１００はユーザが上面にアプローチしたことを認識し、ユーザアプローチ認識アイコン２１０を画面の上側部分に表示する。
【００４０】
なお、テーブルトップ１００は、ユーザのアプローチとともにユーザ情報も認識することができる。図２に示すように、テーブルトップ１００の画面に表示されたユーザアプローチ認識アイコン２１０に“ユーザＡ”と記載されたことが確認できる。即ち、テーブルトップ１００はアプローチしたユーザが“ユーザＡ”であることを認識したのである。
【００４１】
ここで、ユーザ情報はユーザに関する情報のことを意味し、ユーザＩＤ、パスワード、ユーザ名、ユーザ写真のうち、少なくともいずれか一つを含む。
【００４２】
ここで、ユーザアプローチ認識アイコン２１０は、ユーザがテーブルトップ１００にアプローチしたことをテーブルトップ１００が認識したことを示すために画面に表示されるアイコンを意味する。なお、ユーザアプローチ認識アイコン２１０が画面に表示された状態でユーザがユーザアプローチ認識アイコン２１０を選択すると、テーブルトップ１００はユーザがテーブルトップ１００を使用するつもりでアプローチしたと判断するようになる。即ち、テーブルトップ１００はユーザアプローチ認識アイコン２１０を用いてユーザがテーブルトップ１００を使用するつもりでのアプローチであるか、それともテーブルトップ１００を使用するつもりのない偶然なアプローチであるかを区別できるようになる。
【００４３】
ユーザアプローチ認識アイコン２１０は、ＧＵＩ上のアイコンで表示され、検出されたユーザの情報のうち、少なくともいずれか一つがともに表示されてよい。例えば、ユーザアプローチ認識アイコン２１０にはユーザのＩＤ，ユーザの名前及びユーザの写真イメージのうち、少なくともいずれか一つがともに表示されてよい。
【００４４】
一方、テーブルトップ１００はユーザが誰であるか認識できない場合、ユーザをゲスト（ＧＵＥＳＴ）として認識する。これについては図３を参考に説明する。
【００４５】
図３は、本発明の一実施形態に係るテーブルトップ１００が、ユーザのアプローチは認識したもののユーザの情報については認識できなかった場合、ユーザアプローチ認識アイコン２２０の表示された画面を示す図である。
【００４６】
図３に示すように、テーブルトップ１００がユーザのアプローチのみを認識し、ユーザの情報は認識できなかった場合、ユーザアプローチ認識アイコン２２０には“ＧＵＥＳＴ”と表示されることが確認できる。
【００４７】
なお、テーブルトップ１００がユーザの情報が認識できなかった場合、テーブルトップ１００はユーザからユーザの情報を直接入力されることもできる。具体的に、テーブルトップ１００がユーザの情報を認識できなかった場合、テーブルトップ１００はユーザ情報の入力画面を表示する。そして、ユーザによってユーザ情報が全て入力されると、テーブルトップ１００は入力されたユーザ情報を保存し、ユーザアプローチ認識アイコン２２０に入力されたユーザのＩＤを表示するようになる。
【００４８】
なお、ユーザアプローチ認識アイコン２２０は多様な位置に表示されてよい。これについては、図４を参考に詳細に説明する。図４は、本発明の一実施形態に係るユーザがテーブルトップ１００の左側面にアプローチした場合、ユーザアプローチ認識アイコン２３０の表示された画面を示す図である。
【００４９】
テーブルトップ１００は、ユーザがアプローチした方向に応じて、ユーザアプローチ認識アイコン２３０を別の位置に表示する。即ち、テーブルトップ１００は、ユーザのアプローチ方向に対応する方向の画面領域にユーザアプローチ認識アイコンを表示する。これは、ユーザがアプローチした位置から近い画面領域にユーザアプローチ認識アイコン２３０を表示することにより、ユーザにユーザアプローチ認識アイコン２３０を容易に認識させるためである。
【００５０】
従って、図４に示すように、ユーザがテーブルトップ１００の左側面にアプローチした場合、ユーザアプローチ認識アイコン２３０は画面の左側部分に表示される。
【００５１】
このように、テーブルトップ１００はユーザアプローチ認識アイコンをユーザのアプローチ方向から近い部分の画面に表示するようになる。従って、ユーザは自分のアプローチにより、ユーザアプローチ認識アイコンが表示されたことを直観的に認識することができるようになる。
【００５２】
一方、本実施形態では、テーブルトップ１００がユーザのアプローチを報知するために、ユーザアプローチ認識アイコン２３０を表示することに限って説明したが、その他の方法のユーザアプローチの報知手段が使われてよいことはいうまでもない。具体的に、ユーザアプローチの報知手段は、発光素子や音を用いて実現されてよい。ユーザアプローチの報知手段が発光素子で有る場合を、図５を参考に以下で詳細に説明する。
【００５３】
図５は、本発明の別の実施形態に係るユーザアプローチの報知手段が発光素子である場合を示す図である。図５に示すように、テーブルトップ１００は各面に第１発光素子２５０と、第２発光素子２５２と、第３発光素子２５４及び第４発光素子２５６を含む。
【００５４】
そして、ユーザがテーブルトップ１００にアプローチした場合、テーブルトップ１００はユーザがアプローチしたことと認識された面の発光素子を発光させる。図５の場合、ユーザがテーブルトップ１００の上側面にアプローチしたため、テーブルトップ１００は上側に配置された第１発光素子２５０を発光させたことが確認できる。
【００５５】
このように、テーブルトップ１００は、発光素子を用いてユーザのアプローチを認識したことを表示することもできる。
【００５６】
図６は、本発明の一実施形態に係るユーザが位置移動の際、テーブルトップ１００に表示されたユーザアプローチ認識アイコン２６０がともに移動することを示す図である。図６に示すように、ユーザがテーブルトップ１００の上側面に位置してから左側面へと移動した場合、ユーザアプローチ認識アイコン２６０は画面の上側部分から左側部分へと移動される。即ち、ユーザが移動した場合、テーブルトップ１００は表示されたユーザアプローチ認識アイコン２６０の位置をユーザが移動した位置へ移動させる。
【００５７】
なお、テーブルトップ１００は、ユーザの移動した位置に応じて、ユーザアプローチ認識アイコン２６０を画面上で移動させる間、ユーザアプローチ認識アイコン２６０の下段が画面の外側方向を向くように表示された状態で、ユーザアプローチ認識アイコン２６０を移動させる。図６に示すように、ユーザアプローチ認識アイコン２６０が画面の上側から左側へ移動される際、ユーザアプローチ認識アイコン２６０の下段部分は画面の外側方向を向くように維持するために、上側方向を向いていた画面が、左側方向を向くように変わったことを確認することができる。これは、ユーザがいずれの方向に移動した場合であっても、ユーザアプローチ認識アイコン２６０が逆さになったり、斜めになることなく、正方向に表示されるようにするためである。
【００５８】
このように、テーブルトップ１００は、画面に表示されたユーザアプローチ認識アイコン２６０をユーザの位置に応じて移動させるため、ユーザはより便利にユーザアプローチ認識アイコン２６０をタッチすることができるようになる。
【００５９】
以下では、図７ないし図９を参考に、パーソナル化領域について詳細に説明する。図７は、本発明の一実施形態に係るユーザがユーザアプローチ認識アイコン３１０をタッチすることを示す図である。
【００６０】
テーブルトップ１００がユーザアプローチを認識したことを報知するユーザアプローチ認識アイコンを画面に表示すると、ユーザは画面に表示されたユーザアプローチ認識アイコンを選択してテーブルトップ１００を使用できるようになる。即ち、テーブルトップ１００はユーザがユーザアプローチ認識アイコンを選択すると、ユーザに適したメニューを画面に表示するようになる。例えば、テーブルトップ１００の画面はタッチスクリーンであり、ユーザはユーザアプローチ認識アイコンをタッチすることにより、テーブルトップ１００の使用を開始することもできる。
【００６１】
図８は、本発明の一実施形態に係るパーソナル化領域３２０の表示された画面を示す図である。図８に示すように、ユーザがテーブルトップ１００のユーザアプローチ認識アイコンをタッチすると、テーブルトップ１００はユーザが使用できる画面領域であるパーソナル化領域３２０を画面に表示する。テーブルトップ１００は、ユーザのアプローチ方向に対応する方向の画面領域にパーソナル化領域３２０を表示する。テーブルトップ１００がユーザから近い画面領域にパーソナル化領域３２０を表示することにより、ユーザにパーソナル化領域３２０をより便利に使用してもらうためである。
【００６２】
ここで、パーソナル化領域３２０は、テーブルトップ１００の画面領域でユーザ個人が使用できるように割り当てられた画面領域のことを意味する。そして、テーブルトップ１００の画面でパーソナル化領域３２０を除く残りの領域は、全てのユーザが使用する共有領域となる。パーソナル化領域には、ユーザが個人的に使用するのに適したメニューが表示される。
【００６３】
例えば、パーソナル化領域３２０には、テーブルトップ１００内に保存されたユーザの個人フォルダ、ユーザのパソコンの共有フォルダ、インターネットウェブサイトの個人ブログ及びネットワーク上に接続された友達リストなどが表示される。
【００６４】
なお、パーソナル化領域３２０には、ユーザの時間帯別の使用率の高いアプリケーションが自動的に表示されてよい。この場合、テーブルトップ１００はユーザ別の使用アプリケーションに対するログを参考に、ユーザが時間帯別にどんなアプリケーションを利用するかを判断できるようになる。例えば、ユーザが毎週水曜日の午後３時にテーブルトップ１００でメールを確認する場合、テーブルトップ１００は午後３時にはパーソナル化領域にメールアプリケーションを実行するアイコンをパーソナル化領域３２０に表示するようになる。
【００６５】
図８の場合、パーソナル化領域３２０は、個人フォルダ３２１と、お気に入り３２３及びＰＣ共有フォルダ３２５のメニューの表示された状態を示す。しかしながら、パーソナル化領域３２０はその他にもユーザの使用できるメニューなら何でも表示してよい。
【００６６】
このように、テーブルトップ１００はユーザ別にパーソナル化領域３２０を画面に表示するため、ユーザはテーブルトップ１００から個人の領域を割り当てられて使用できるようになる。
【００６７】
図９は、本発明の一実施形態に係るユーザが位置移動の際、テーブルトップ１００に表示されたパーソナル化領域３２０がともに移動することを示す図である。図９に示すように、ユーザがテーブルトップ１００の上側面に位置してから左側面へと移動した場合、パーソナル化領域３２０は画面の上側部分から左側部分へと移動される。即ち、ユーザが移動した場合、テーブルトップ１００は表示されたパーソナル化領域３２０の位置をユーザが移動した位置へ移動させる。
【００６８】
なお、テーブルトップ１００は、ユーザの移動した位置に応じて、パーソナル化領域３２０を画面上で移動させる間、パーソナル化領域３２０の下段が画面の外側方向を向くように表示された状態で、パーソナル化領域３２０を移動させる。図９に示すように、パーソナル化領域３２０が画面の上側から左側へ移動される際、パーソナル化領域３２０の下段部分は画面の外側方向を向くように維持するために、上側方向を向いていた画面が、左側方向を向くように変わったことを確認することができる。これは、ユーザがいずれの方向に移動した場合であっても、パーソナル化領域３２０が逆さになったり、斜めになることなく、正方向に表示されるようにするためである。
【００６９】
このように、テーブルトップ１００は、画面に表示されたパーソナル化領域３２０をユーザの位置に応じて移動させるため、ユーザはより便利にパーソナル化領域３２０をタッチすることができるようになる。
【００７０】
以下では、図１０を参考に、ユーザがテーブルトップ１００の使用を終了する場合について説明する。図１０は、ユーザがテーブルトップ１００の第４領域１２４から離れた場合、テーブルトップ１００のパーソナル化領域３２０は消えることを示す図である。
【００７１】
図１０に示すように、ユーザが第４領域１２４から離れた場合、テーブルトップ１００のアプローチ認識部はユーザのアプローチをそれ以上認識できなくなる。従って、テーブルトップ１００は、それをユーザが使用を終了したと判断し、パーソナル化領域３２０が画面から消えるようにする。
【００７２】
なお、テーブルトップ１００は、ユーザが第４領域１２４から離れるとしても、一定時間の待機時間を有してよい。即ち、ユーザが第４領域１２４から離れたとしても、待機時間内にユーザが再び第４領域１２４に戻ってくると、テーブルトップ１００は引き続きパーソナル化領域３２０を画面に表示するようになる。一方、ユーザが第４領域１２４から離れてから待機時間が経過すると、テーブルトップ１００はパーソナル化領域３２０を画面から消すようになる。
【００７３】
テーブルトップ１００は、ユーザが第４領域１２４から離れたとしても、一定の再使用可能な時間の間、パーソナル化領域に対する情報をメモリに保存しておく。従って、ユーザが再使用可能な時間のうちに再び第４領域１２４内にアプローチした場合、テーブルトップ１００はユーザが以前に使用していたパーソナル化領域をそのまま再び画面に表示するようになる。これにより、ユーザは第４領域１２４から誤って離れていたとしても、容易にテーブルトップ１００を再び利用できるようになる。
【００７４】
図１０に対する説明において、アプローチ認識領域が第４領域１２４である場合を挙げて説明したが、その他に別のアプローチ認識領域にも適用してよい。例えば、図１の第１領域１２１と、第２領域１２２及び第３領域１２３にも適用されてよい。
【００７５】
これまで、図１ないし図１０を参考に、テーブルトップ１００のユーザアプローチ認識及びパーソナル化領域の提供過程を通じたユーザ別ＵＩ提供方法について詳細に説明した。
【００７６】
本実施形態では、一人のユーザがテーブルトップ１００を使用する場合についてのみ説明したが、テーブルトップ１００は複数のユーザによって同時に使用することもできる。この場合、テーブルトップ１００は各ユーザにパーソナル化領域を割り当てて画面に表示するようになる。これについては、図１１を参考に説明する。
【００７７】
図１１は、本発明の一実施形態に係る二人のユーザがテーブルトップ１００を使用する場合を示す図である。図１１に示すように、テーブルトップ１００は画面にユーザＡのパーソナル化領域５１０とユーザＢのパーソナル化領域５２０が表示されたことが確認できる。このように、テーブルトップ１００は二人以上のユーザが同時に使用することもできる。そして、テーブルトップ１００はユーザのそれぞれに対し、ユーザアプローチ認識アイコン及びパーソナル化領域を表示するようになる。
【００７８】
なお、テーブルトップ１００は、各ユーザのパーソナル化領域を介して互いのデータを送受信することもできる。例えば、ユーザＡが自分のパーソナル化領域５１０に表示されたファイルをユーザＢのパーソナル化領域５２０にドラッグする場合、テーブルトップ１００はドラッグされたファイルをユーザＡのパーソナル化領域５１０でユーザＢのパーソナル化領域５２０にコピーすることもできる。
【００７９】
一方、本実施形態では、テーブルトップ１００が一つである場合についてのみ説明したが、二つ以上のテーブルトップが相互に通信できるように接続された環境にも適用してよい。これについては図１２を参考に説明する。
【００８０】
図１２は、本発明の一実施形態に係るスマートボード６００とテーブルトップ１００とが相互に連動する場合を示す図である。図１２に示すように、スマートボード６００とテーブルトップ１００は、有無線通信モジュールを通じて相互に通信できるように接続されている。なお、スマートボード６００もテーブルトップ１００と同様にユーザアプローチ認識が可能である。
【００８１】
ユーザがテーブルトップ１００からスマートボード６００に移動した場合、テーブルトップ１００はスマートボード６００に、ユーザのパーソナル化領域６１０に関する情報を伝送する。そして、スマートボード６００はユーザのアプローチが認識されると、テーブルトップ１００から受信されたユーザのパーソナル化領域６１０に関する情報を用いてパーソナル化領域６１０を画面に表示するようになる。
【００８２】
このように、テーブルトップ１００は通信できるように接続された別の機器にパーソナル化領域に対する情報を伝送して相互に連動することもできる。なお、テーブルトップ１００は、通信できるように接続された別の機器にパーソナル化領域だけでなく、ユーザアプローチ認識アイコンに対する情報を伝送して相互に連動することもできる。
【００８３】
一方、本実施形態では、テーブルトップ１００の形態をが四角のテーブル形態に限って説明したが、その他にもテーブルトップ１００の形態は、円形、六角など如何なる形態であっても可能である。なお、テーブルトップ１００に配置されたアプローチ認識センサもその個数及び配置形態に制限は設けない。
【００８４】
なお、本実施形態では、適用されるデバイスをテーブルトップ１００に限って説明したが、その他にもユーザのアプローチを認識してパーソナル化領域を提供するデバイスなら何でも適用できる。例えば、デバイスはテーブルトップの他にもスマートボード及びＴＶなどであってよい。
【００８５】
以下では、図１３を参考に、図１ないし図１２を参考に説明したデバイスのユーザ別ＵＩ提供方法について詳細に説明する。図１３は、本発明の一実施形態に係るユーザ別ＵＩ提供方法について説明するために提供されるフローチャートである。図１３でいうデバイスはテーブルトップ１００として説明を進める。
【００８６】
先ず、テーブルトップ１００は、ユーザのアプローチが認識されたか否かを判断する（Ｓ７１０）。テーブルトップ１００がユーザのアプローチを認識する方法については図１を参考に上述した。
【００８７】
ユーザのアプローチが認識された場合（Ｓ７１０−Ｙ）、テーブルトップ１００はユーザの情報が認識できるか否かを判断する（Ｓ７２０）。ユーザの情報が認識できる場合（Ｓ７２０−Ｙ）、テーブルトップ１００は図２のように、ユーザに対するユーザアプローチ認識アイコンを画面に表示する（Ｓ７３０）。
【００８８】
一方、ユーザ情報が認識できなかった場合（Ｓ７１０−Ｎ）、テーブルトップ１００はユーザ情報の入力ウィンドウを表示する（Ｓ７２３）。そして、テーブルトップ１００はユーザからユーザ情報を入力される（Ｓ７２６）。その後に、テーブルトップ１００は入力された情報を参考にユーザに対するユーザアプローチ認識アイコンを画面に表示する（Ｓ７３０）。
【００８９】
ユーザアプローチ認識アイコンは、図４に示すように、ユーザの位置に応じて画面に表示される位置が変わる。なお、図６に示すように、ユーザが位置を移動する場合、テーブルトップ１００はユーザアプローチ認識アイコンが表示される位置をユーザの移動位置に応じて移動させることができる。
【００９０】
一方、ユーザ情報が認識できなかった場合（Ｓ７１０−Ｎ）、ユーザがユーザ認証なしにゲストとしてテーブルトップ１００を使用できるように、図３に示すように、テーブルトップ１００がゲストユーザアプローチ認識アイコンを表示するようにも実現できる。
【００９１】
その後、テーブルトップ１００はユーザアプローチ認識アイコンが選択されたか否かを判断する（Ｓ７４０）。ユーザはテーブルトップ１００に設けられた操作装置を用いてユーザアプローチ認識アイコンを選択することができる。例えば、図７に示すように、ユーザはユーザアプローチ認識アイコンをタッチすることにより、ユーザアプローチ認識アイコンを選択することもできる。
【００９２】
ユーザがユーザアプローチ認識アイコンを選択すると（Ｓ７４０）、テーブルトップ１００は画面にユーザのためのパーソナル化領域を表示する（Ｓ７５０）。図８に示すように、パーソナル化領域にはユーザが使用できる多様なメニューが表示される。なお、図９に示すように、パーソナル化領域はユーザの移動に沿ってともに移動してよい。
【００９３】
その後、テーブルトップ１００はユーザのアプローチ認識が終了したか否かを判断する（Ｓ７６０）。図１０に示すように、ユーザがアプローチ認識領域から離れた場合、テーブルトップ１００はユーザのアプローチ認識が終了したと判断する。
【００９４】
ユーザのアプローチ認識が終了した場合（Ｓ７６０−Ｙ）、テーブルトップ１００はパーソナル化領域の表示を中断するようになる（Ｓ７７０）。
【００９５】
このような過程を通じて、テーブルトップ１００はユーザのアプローチを認識してユーザ別ＵＩを提供するようになる。特に、テーブルトップ１００はユーザのアプローチのみでユーザを認識するため、ユーザは複雑なログイン過程を経ることなく、テーブルトップ１００でパーソナル化されたサービスを使えるようになる。
【００９６】
一方、図１４は、本発明の適用可能なデバイスのブロック図を示す。図１４に示すように、デバイスは機能ブロック８１０と、アプローチ認識部８２０と、通信部８３０と、ディスプレイ８４０と、操作部８５０と、保存部８６０及び制御部８７０を備える。
【００９７】
機能ブロック８１０は、デバイス本来の機能を担う。もし、デバイスがテーブルトップである場合、機能ブロック８１０はテーブルトップとして機能し、デバイスがスマートボードである場合、機能ブロック８１０はデジタル会議に必要なスマートボードとして機能する。
【００９８】
アプローチ認識部８２０は、ユーザがアプローチ認識領域内にアプローチしたか否かを認識する。アプローチ認識部８２０は、少なくとも一つのアプローチ認識センサを含む。アプローチ認識センサの個数はセンサの種類及び配置に応じて異なる。例えば、アプローチ認識部８２０は、ＩＤカードリーダー、無線通信モジュール、又は人体検知センサなどが使われてよい。
【００９９】
アプローチ認識部８２０は、ユーザがデバイスのいずれの方向にアプローチしたかを認識することもできる。アプローチ認識部８２０は、アプローチ認識センサの配置された位置を用いてユーザのアプローチ方向を認識することができる。
このように、デバイスはアプローチ認識部８２０を介してユーザがアプローチしたか否か及びユーザがいずれの方向からアプローチしたかを認識することができる。アプローチ認識部８２０の機能については、図１における説明と同様であるため、繰り返し説明は省略する。
【０１００】
通信部８３０は、周辺のデバイスとともに構成されるネットワークにアクセスして周辺のデバイスと通信を行なう。
【０１０１】
ディスプレイ８４０は、機能ブロック８１０の機能実行結果を表示する。なお、ディスプレイ８４０は本発明を実現するうえで必要なＧＵＩが表示される。具体的に、ディスプレイ８４０はユーザアプローチ認識アイコン及びパーソナル化領域を表示する。
【０１０２】
操作部８５０は、ユーザ命令を入力するための手段である。例えば、操作部８５０はデバイスに設けられたタッチスクリーン、ボタンなどを含む。
【０１０３】
保存部８６０は、サービス実行に用いられるファイル、コンテンツ、その他のデータが保存される保存媒体である。なお、保存部８６０はユーザ別のＩＤ情報及びユーザ別のパーソナル化領域情報などが保存されている。
【０１０４】
そして、制御部８７０は、上述の図１３に示されたフローチャートのステップを行い、デバイスがユーザのアプローチを認識してパーソナル化領域を画面に表示させる。
【０１０５】
本実施形態では、一人のユーザがテーブルトップ１００の一面を使用する場合について説明したが、テーブルトップ１００は一面に二人以上のユーザのアプローチを認識することもできる。これについては、図１５及び図１６を参考に詳細に説明する。
【０１０６】
図１５は、本発明の一実施形態に係るテーブルトップ１００の一面に二人のユーザがアプローチした場合、ユーザ別のアプローチ認識アイコンの表示された画面を示す図である。図１５に示すように、一面に二人のユーザがテーブルトップ１００にアプローチした場合、テーブルトップ１００は二人のユーザのアプローチを認識するようになる。テーブルトップ１００のアプローチ認識部８２０は、複数のユーザがアプローチ認識領域内にアプローチしたか否かを認識することもできる。複数のユーザに対するアプローチ認識はアプローチ認識部８２０の一つのアプローチ認識センサによって行なわれてよく、複数個のアプローチ認識センサによって行なわれてよい。例えば、テーブルトップ１００は二人以上のユーザのＩＤカードを認識し、二人以上のユーザのアプローチを認識することもできる。なお、テーブルトップ１００は一面に複数個の人体検知センサが取り付けられ、一面に対する複数のユーザのアプローチを認識することもできる。
【０１０７】
そして、テーブルトップ１００は、二人のユーザのそれぞれのアプローチ認識アイコンを表示するようになる。例えば、図１５に示すように、テーブルトップ１００の画面にユーザＡに対する第１アプローチ認識アイコン９１０及びユーザＢに対する第２アプローチ認識アイコン９２０とが画面にともに表示されたことが確認できる。
【０１０８】
このように、二人以上のユーザが一面にアプローチした場合、テーブルトップ１００はユーザ別にアプローチ認識アイコンを画面に表示するようになる。
【０１０９】
なお、テーブルトップ１００は、二人以上のユーザが一面にアプローチした場合、ユーザ別のパーソナル化領域を一面に表示することもできる。これについては、図１６を参考に説明する。図１６は、本発明の一実施形態に係るテーブルトップ１００の一面に二人のユーザがアプローチした場合、ユーザ別のパーソナル化領域の表示された画面を示す図である。
【０１１０】
図１５のユーザがアプローチ認識アイコンをタッチ操作した場合、テーブルトップ１００はユーザ別にパーソナル化領域を画面に表示するようになる。図１６は、図１５の二人のユーザがアプローチ認識アイコンをタッチした結果画面となる。図１５で二人のユーザがそれぞれ第１アプローチ認識アイコン９１０及び第２アプローチ認識アイコン９２０をタッチした場合、図１６のように、テーブルトップ１００はユーザＡのための第１パーソナル化領域９３０及びユーザＢのための第２パーソナル化領域９４０を画面に表示するようになる。即ち、複数のアプローチ認識アイコンのうち、いずれかの一つのアイコンを選択する操作が入力されると、テーブルトップ１００は選択されたアイコンに対応するパーソナル化領域を表示するようになるのである。
【０１１１】
このように、二人以上のユーザが一面にアプローチした場合、テーブルトップ１００はユーザ別にパーソナル化領域を画面に表示するようになる。
【０１１２】
上述のように、テーブルトップ１００は各面に対して複数のユーザのアプローチを認識することができ、各ユーザ別にアプローチ認識アイコン及びパーソナル化領域を提供するようになる。
【０１１３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１４】
１００  テーブルトップ
１１０  ディスプレイ
１２１  第１領域
１２２  第２領域
１２３  第３領域
１２４  第４領域
１２６  第１アプローチ認識センサ
１２７  第２アプローチ認識センサ
１２８  第３アプローチ認識センサ
１２９  第４アプローチ認識センサ
【図１】
0005859430.tif 000002
【図２】
0005859430.tif 000003
【図３】
0005859430.tif 000004
【図４】
0005859430.tif 000005
【図５】
0005859430.tif 000006
【図６】
0005859430.tif 000007
【図７】
0005859430.tif 000008
【図８】
0005859430.tif 000009
【図９】
0005859430.tif 000010
【図１０】
0005859430.tif 000011
【図１１】
0005859430.tif 000012
【図１２】
0005859430.tif 000013
【図１３】
0005859430.tif 000014
【図１４】
0005859430.tif 000015
【図１５】
0005859430.tif 000016
【図１６】
0005859430.tif 000017